(57)【要約】【課題】様々な長さ、肉厚、断面形状に容易に形成できる設計自由度の高い安価なヨークを伴う魚釣用リールのモータを提供する。【解決手段】魚釣用リールの駆動部品７を駆動させるための本発明の魚釣用リールのモータは、界磁を構成する磁石３３と、磁石３３の内側に配設される電機子３５と、磁石３３の外側に取着され、磁気回路を構成して磁力の漏洩を防止する筒状のヨーク９０とを備える。ヨーク９０は、周方向に分割された複数のヨークセグメント９０Ａ，９０Ｂから成り、これらのヨークセグメント９０Ａ，９０Ｂを組み合わせて筒状に形成される。【選択図】図２
2014083043.tif 000002
【特許請求の範囲】
【請求項１】
魚釣用リールの駆動部品を駆動させるための魚釣用リールのモータであって、界磁を構成する磁石と、該磁石の内側に配設される電機子と、前記磁石の外側に取着され、磁気回路を構成して磁力の漏洩を防止する筒状のヨークとを備え、前記ヨークは、周方向に分割された複数のヨークセグメントから成り、これらのヨークセグメントを組み合わせて筒状に形成されることを特徴とする魚釣用リールのモータ。
【請求項２】
魚釣用リールのリール本体の側板間に形成される凹所内に組み込まれることを特徴とする請求項１に記載の魚釣用リールのモータ。
【請求項３】
魚釣用リールの釣糸巻回用のスプールの内部に組み込まれることを特徴とする請求項１に記載の魚釣用リールのモータ。
【請求項４】
前記ヨークはその外周面の一部に平坦部を有する断面形成を成すことを特徴とする請求項１ないし請求項３のいずれか１項に記載の魚釣用リールのモータ。
【請求項５】
前記駆動部品が魚釣用リールの釣糸巻回用のスプールであることを特徴とする請求項１ないし請求項４のいずれか１項に記載の魚釣用リールのモータ。
【発明の詳細な説明】
【技術分野】
【０００１】
本発明は、魚釣用リールに用いられるモータに関する。
【背景技術】
【０００２】
従来から、魚釣用リールの中には、電動で駆動される駆動部品を備えるものがあり、そのような魚釣用リールでは、前記駆動部品を駆動させるためのモータが組み込まれる。
【０００３】
例えば、駆動部品としてスプールを巻取り駆動させる魚釣用電動リール（以下では、電動リールとも称する）では、スプールを回転駆動させるためのモータがリール本体に組み込まれている。
【０００４】
このようなモータは、一般に、界磁を構成する磁石の内側に電機子が配設されるとともに、磁石の外側に磁気回路を構成して磁力の漏洩を防止する継鉄から成るヨーク（防磁リング）が取着されて成り（例えば、特許文献１参照）、例えば、スプールの内部空間に収容され（いわゆるスプールインタイプ）、あるいは、スプール前方のリール本体の側板間に形成した筒状のモータケース内に収容される（いわゆるスプールアウトタイプ）。
【０００５】
ところで、磁石の外周に配設される前記ヨークは、一般に断面が円形の筒状を成すが、リールの小型化等を目的として断面が太鼓型形状等の円形とは異なる異形の形状を成す場合もあり、いずれにしても全体として筒状に一体形成される。
【先行技術文献】
【特許文献】
【０００６】
【特許文献１】特開２００３−１３４７７６号公報
【発明の概要】
【発明が解決しようとする課題】
【０００７】
このように、前記ヨークを筒状に一体形成する場合には、寸法が長い（あるいは、幅が広い）ヨークを形成すること（一般的には、引き抜き成形やパイプ成形等にり形成することになる）が技術的に難しく、また、防磁高価の高い厚肉寸法とすることにも限界がある。また、前述したような目的でヨークを太鼓型などの異形断面に成形することも難しくなる。つまり、筒状に一体形成されるヨークは、長尺で肉厚にすること、あるいは、異形断面にすることが難しく、また、そのような形態を得ようとすれば製造コストが高くなってしまう。
【０００８】
本発明は、上記した問題に着目してなされたものであり、様々な長さ、肉厚、断面形状に容易に形成できる設計自由度の高い安価なヨークを伴う魚釣用リールのモータを提供することを目的とする。
【課題を解決するための手段】
【０００９】
上記した目的を達成するために、本発明は、魚釣用リールの駆動部品を駆動させるための魚釣用リールのモータであって、界磁を構成する磁石と、該磁石の内側に配設される電機子と、前記磁石の外側に取着され、磁気回路を構成して磁力の漏洩を防止する筒状のヨークとを備え、前記ヨークは、周方向に分割された複数のヨークセグメントから成り、これらのヨークセグメントを組み合わせて筒状に形成されることを特徴とする。
【００１０】
上記構成によれば、磁力の漏洩を防止する筒状のヨークが、周方向に分割された複数のヨークセグメントから成るとともに、これらのヨークセグメントを組み合わせて筒状に形成されるため、ヨークを様々な長さ、肉厚、断面形状に容易に形成することができる。つまり、ヨークが筒状の単体として一体に成形される場合には、寸法が長い（あるいは、幅が広い）ヨークを形成することが技術的に難しく、防磁高価の高い厚肉寸法とすることにも限界があるとともに、ヨークを太鼓型などの異形断面に成形することも難しくなるが、上記構成のように周方向に分割された複数のヨークセグメントを組み合わせることによりヨークを筒状に形成するようにすると、各ヨークセグメント自体はプレス、深絞り加工などによって様々な形状、長さ、肉厚に容易に形成できるため、これらのヨークセグメントの組み合わせによってヨークを様々な長さ、肉厚、断面形状に形成することが容易になる。したがって、設計自由度の高い安価なヨークを伴う魚釣用リールのモータを実現できる。
【発明の効果】
【００１１】
本発明の魚釣用リールによれば、磁力の漏洩を防止する筒状のヨークが、周方向に分割された複数のヨークセグメントから成るとともに、これらのヨークセグメントを組み合わせて筒状に形成されるため、様々な長さ、肉厚、断面形状に容易に形成できる設計自由度の高い安価なヨークを実現できる。
【図面の簡単な説明】
【００１２】
【図１】本発明の第１の実施形態に係るモータが適用される魚釣用リール（スプールアウトタイプ）の内部構造を示す断面図。
【図２】図１の魚釣用リールを側方から見た部分断面図。
【図３】図１の魚釣用リールのリール本体のフレーム内に配置されるモータの分割ヨークおよび磁石の部分概略斜視図。
【図４】本発明の第２の実施形態に係るモータが適用される魚釣用リール（スプールアウトタイプ）を側方から見た部分断面図。
【図５】本発明の第３の実施形態に係るモータが適用される魚釣用リール（スプールインタイプ）の内部構造を後方から見た断面図。
【発明を実施するための形態】
【００１３】
以下、添付図面を参照しながら本発明に係る魚釣用リールのモータの実施形態について説明する。なお、本発明のモータは、魚釣用リールだけでなく、モータ駆動される駆動部品を有する任意の他の製品にも適用できる。
【００１４】
図１〜図３は本発明に係る魚釣用リールのモータの第１の実施形態を示しており、図１は、本実施形態に係るモータが適用される魚釣用リール（スプールアウトタイプ）の内部構造を示す断面図、図２は、図１の魚釣用リールを側方から見た部分断面図、図３は、図１の魚釣用リールのリール本体のフレーム内に配置されるモータの分割ヨークおよび磁石の部分概略斜視図である。
【００１５】
図１および図２に示されるように、本実施形態のモータ（以下、駆動モータという）が適用される魚釣用リールとしての電動リール１は、後述する駆動力伝達機構等を装着したフレーム３と、このフレーム３を覆うように配設される外側板４とを備えたリール本体５を有している。
【００１６】
リール本体５を構成する前記フレーム３は、本実施形態では、左フレーム３ａ、右フレーム３ｂ、および、スプール７の前方側に配設される前フレーム３ｃを有しており、これらのフレーム３ａ，３ｂ，３ｃは全体として一体化されている。もちろん、これらのフレーム３ａ，３ｂ，３ｃは、個々の部材が一体形成され、固定手段等によって一体化されていても良いし、部分的に一体形成されて、全体として一体化されていても良く、その構造についても、特定の形状に限定されることはない。
【００１７】
リール本体５を構成する外側板４は、左フレーム３ａを覆う左外側板４ａ、右フレーム３ｂを覆う右外側板４ｂ、および、前フレーム３ｃを覆う前外側板４ｃを備えており、駆動力伝達機構等の構成部材を覆うと共に、釣人の手によって握持、保持される部分（釣人の手が接触する部分）となる。これらの外側板４ａ，４ｂ，４ｃは、個々に一体形成されており、全体として一体化されているが、上記したフレームと同様、各外側板４ａ，４ｂ，４ｃは一体形成されていても良いし、部分的に一体形成されて、全体として一体化されていても良い。また、一部において、前記フレームを露出させた構成であっても良い。
【００１８】
リール本体５を構成する一方の側板（右側板４ｂ）側には、巻取り操作される手動ハンドル６が設けられており、リール本体５を構成する左右のフレーム３ａ，３ｂ間には、釣糸が巻回されるスプール７が回転自在に支持されている。また、スプール７の前方側には、後述するように構成される駆動モータ３０が設置されており、スプール７は、手動ハンドル６の巻取り操作および駆動モータ３０の回転駆動によって、後述する駆動力伝達機構を介して釣糸巻取り方向に回転駆動される。
【００１９】
スプール７は、釣糸が巻回される釣糸巻回胴部７ａを備えており、その両端には、巻回される釣糸を規制するフランジ７ｂ，７ｃが形成されている。また、スプール７は、スプール軸７ｓに軸受を介して回転可能に支持されており、左右側板４ａ，４ｂ間に回転可能に支持されている。なお、スプール軸７ｓの両端側は、リール本体５に対して軸受１０を介して支持されている。
【００２０】
スプール７には、駆動動力伝達機構１２を介して、手動ハンドル６および駆動モータ３０からの回転駆動力が入力されるようになっている。以下、駆動力伝達機構１２の概略構成について説明する。
【００２１】
本実施形態の駆動力伝達機構１２は、左フレーム３ａおよび右フレーム３ｂに振分け配置された構成となっており、左フレーム３ａ側には、駆動モータ３０の出力を減速する第１減速機構１５、および、第１減速機構１５によって減速された回転駆動力をスプール軸７ｓに伝達する電動動力伝達部１６が配設されている。また、右フレーム３ｂ側には、スプール軸７ｓの回転駆動力を減速してスプール７に伝達する第２減速機構１７、および、手動ハンドル６の駆動軸（ハンドル軸）６ａの回転駆動力を第２減速機構１７を介してスプール７に伝達する手動動力伝達部１８が配設されている。
【００２２】
この場合、第１減速機構１５は、駆動モータ３０の出力軸（駆動軸）３１と前フレーム３ｃとの間に設置される公知の遊星歯車機構によって構成され、電動動力伝達部１６は、出力軸３１と一体回転するプーリ１６ａと、スプール軸７ｓと一体回転するプーリ１６ｂと、これらプーリ１６ａ，１６ｂに巻回される動力伝達ベルト１６ｃとを備えて構成されている。また、第２減速機構１７は、スプール軸７ｓとスプール７との間に設置される公知の遊星歯車機構によって構成され、手動動力伝達部１８は、ハンドル軸６ａに回転可能に装着される駆動歯車１８ａと、これに噛合するピニオンギヤ１８ｂとを備えて構成されている。
【００２３】
ハンドル軸６ａと駆動歯車１８ａとの間には、公知のドラグ機構２０が配設されており、ハンドル軸６ａ上に設置されたドラグノブ２０ａを回転操作することで、スプール７の回転に所望の制動力が付与される。また、ハンドル軸６ａには、逆転防止機構６ｂが設けられており、駆動モータ３０が回転駆動された際、手動ハンドル６の連動回転を阻止する。
【００２４】
ピニオンギヤ１８ｂは、スプール軸７ｓの右側板側の延出部分に回転可能、かつ軸方向に移動可能に配設されると共に、その外周部分には、公知のクラッチ機構２２が係合している。ピニオンギヤ１８ｂは、クラッチ作動部材２２ａが操作レバー（図示せず）の操作によって軸方向に摺動することにより第２減速機構（遊星歯車機構）のキャリヤに係合／非係合可能であり、それにより、スプール７に対する駆動力の伝達が継脱されるようになっている。
【００２５】
また、図２に示されるように、左右フレーム３ａ，３ｂ間には、スプール７に対して釣糸を平行に巻回するレベルワインド機構６０が設けられている。このレベルワインド機構６０は、スプール７の前方側に配設されており、公知のように、駆動歯車１８ａまたはスプール７の側部に一体的に形成した歯車７ｄによって図示しない伝達歯車機構を介して回転駆動されるウォームシャフト６１と、ウォームシャフト６１に係合し、シャフト６２に回り止めされた状態で左右方向に摺動駆動される釣糸案内体６５を備えている。この釣糸案内体６５は、釣糸が挿通される釣糸導通孔６５ａを有しており、釣糸は、釣糸導通孔６５ａに案内されてスプール７に巻回される。
【００２６】
次に、上記した駆動モータ３０の構成について詳細に説明する。
【００２７】
本実施形態に係る駆動モータ３０は、例えば、リール本体５を構成する部材に凹所を形成し、この凹所内に収容されている。具体的に、本実施形態では、図２に明確に示されるように、リール本体５を構成している前フレーム３ｃ（スプール７の前方側に位置するリール本体の側板間）に略円筒状（断面が略円形）の空間を規定する凹所３２を形成し、この凹所３２内に駆動モータ３０が嵌合実装されている。すなわち、リール本体５に形成される凹所３２は、駆動モータ３０を取着するためのケーシングとしての機能を有する。
【００２８】
図２および図３に明確に示されるように、前フレーム３ｃの凹所３２内に配置される駆動モータ３０は、界磁を構成する円筒状の磁石３３と、磁石３３の内側に対向して配設されてモータの前記駆動軸３１に装着される電機子３５（磁石３３に対向するコイル３５ａを有する）と、磁石３３の外側に嵌合して取着され、磁気回路を構成して磁力の漏洩を防止する筒状のヨーク（継鉄；炭素を含有する鉄）９０とを備える。ここで、磁石３３は、ヨーク９０の内面に対して例えば接着剤等によって固着される。また、本実施形態では、ヨーク９０が前フレーム３ｃと別体に形成されているが、前フレーム３ｃがヨークを兼ねていてもよい。
【００２９】
また、本実施形態において、ヨーク９０は、周方向に分割された複数のヨークセグメント９０Ａ，９０Ｂから成り、これらのヨークセグメント９０Ａ，９０Ｂを組み合わせて筒状に形成される（図２および図３参照）。本実施形態では、所定厚の半円状の２つのヨークセグメント９０Ａ，９０Ｂを接着等によって接合して円筒状のヨーク９０が形成されるが、ヨーク９０の周方向の分割数、すなわち、ヨークセグメントの数は２つの限らず、３つ、４つ等、任意に設定できる。本実施形態のように、駆動モータ３０がリール本体５内（凹所３２内）に実装される構造では、ヨークセグメント同士を接着等により円筒状に接合して磁力漏洩防止効果を実現することは比較的容易であるが、磁力漏洩防止効果の確実を期すためには、ヨーク９０の分割数を最小限に抑えることが好ましい。
【００３０】
また、前記凹所３２を形成する前フレーム３ｃは、右側板４ｂ側がそのまま開口すると共に、左側板４ａ側に底壁３ｄを形成してなり、底壁３ｄの中心部分で軸受３４を介して前記駆動軸３１を回転可能に支持している。なお、上記した遊星歯車機構によって構成される第１減速機構１５は、底壁３ｄに対して軸方向外側に設置されており、前フレーム３ｃに対して装着される端部カバー５０によって閉塞されている。
【００３１】
ここで、駆動軸３１に装着される電機子３５の軸方向右側板側には、電機子３５に電流を供給する整流子３７が装着される。
【００３２】
この整流子３７は、前フレーム３ｃの右側板側の開口（凹所３２の開口）から突出しており、この開口部分には、前フレーム３ｃ近傍の右フレーム３ｂに螺着される固定ネジ３９によって前フレーム３ｃに着脱可能となるように端部カバー４０が装着される。この端部カバー４０は、予め一つのユニットとして構成されており、その径方向内側には、整流子３７に接触して電流を流すブラシ４１と、このブラシ４１を保持するブラシホルダ４２が組み込まれてネジで取付け固定されている。そして、このブラシホルダ４２には端子４３が一体的に組み込まれており、端子４３はリード線４４を介して外部電源に接続されるようになっている。
【００３３】
また、端部カバー４０には、軸方向内側から順に、前記駆動軸３１を回転可能に支持する一方向クラッチ４６と、駆動軸３１を回転可能に支持する軸受４７とを保持した保持体４８が組み込まれている。この場合、一方向クラッチ４６は、手動ハンドル６を巻取り操作した際に空回りすることなく且つ駆動モータ３０が駆動された際にスプール７側に動力を伝達するように、駆動軸３１を一方向のみに回転することを許容するものである。
【００３４】
以上説明したように、本実施形態によれば、磁力の漏洩を防止する筒状のヨーク９０が、周方向に分割された複数のヨークセグメント９０Ａ，９０Ｂから成るとともに、これらのヨークセグメント９０Ａ，９０Ｂを組み合わせて筒状に形成されるため、ヨーク９０を様々な長さ、肉厚、断面形状に容易に形成することができる。つまり、ヨーク９０が筒状の単体として一体に成形される場合には、寸法が長い（あるいは、幅が広い）ヨークを形成することが技術的に難しく、防磁高価の高い厚肉寸法とすることにも限界があるとともに、ヨーク９０を太鼓型などの異形断面に成形する（後述する第２の実施形態参照）ことも難しくなるが、本実施形態のように周方向に分割された複数のヨークセグメント９０Ａ，９０Ｂを組み合わせることによりヨーク９０を筒状に形成するようにすると、各ヨークセグメント９０Ａ，９０Ｂ自体はプレス、深絞り加工などによって様々な形状、長さ、肉厚に容易に形成できるため、これらのヨークセグメント９０Ａ，９０Ｂの組み合わせによってヨーク９０を様々な長さ、肉厚、断面形状に形成することが容易になる。したがって、設計自由度の高い安価なヨーク９０を伴う魚釣用リールの駆動モータ３０を実現できる。
【００３５】
なお、上記した構成では、リール本体５に、駆動モータ３０の水密性の向上が図れるように、シール部材５２（図１参照）を各所に設置しておくことが好ましい。このようなシール部材５２は、例えば、ゴム系やシリコン系の材料で形成されるＯリングやカバー体などによって構成することが可能である。本実施形態においては、シール部材５２は、端部カバー４０と前フレーム３ｃとの間、端部カバー４０とリード線４４との間、端部カバー５０と前フレーム３ｃとの間、端部カバー５０と駆動軸３１との間などに設置されている。
【００３６】
このようなシール部材５２については、駆動モータ３０の電機子部分が設置される凹所内が水密に維持できるように適所に配設されるのであり、凹所の形成位置や大きさ、形状、駆動モータの構成部材の設置態様等に応じて適宜変形される。
【００３７】
図４は本発明の第２の実施形態を示している。図示のように、本実施形態において、駆動モータ３０Ａを収容するための凹所３２を形成する前フレーム３ｃは、その一部（本実施形態では、リール本体５の上下方向）に平坦部３２ｂを有しており、それにより凹所３２は、側面視で上下方向がつぶれた円形状となっている。この結果、第１の実施形態のように円形状に形成される凹所と比較すると、上下方向に短縮化が図れるようになる。
【００３８】
また、このような凹所３２の平坦部３２ｂの形成に伴って、凹所３２内に嵌め込まれる駆動モータ３０Ａのヨーク９０の外周面にも、平坦部３２ｂの位置に対応して上下２か所に平坦部９１が形成されている。本実施形態においても、ヨーク９０は、周方向に分割された複数のヨークセグメント９０Ａ，９０Ｂから成り、これらのヨークセグメント９０Ａ，９０Ｂを組み合わせて筒状に形成されるため、このような平坦部９１を有する円形以外の異形状の断面を容易に形成することができる。
【００３９】
また、平坦部９１を有するヨーク９０を伴う本実施形態の駆動モータ３０Ａにおいて、界磁を構成する磁石３３は、平坦部９１を除く位置でヨーク９０の内面に周方向に沿って取着されている。この場合、磁石３３は、ヨーク９０の内面に対し接着剤等によって固着しても良いし、保持手段によって係止するようにしても良く、更には、磁石３３は、周方向に沿って所定間隔おいて取着されていても良い。本実施形態のように磁石３３が２つに分割されて配置される構成では、ヨーク９０の分割部（ヨークセグメント９０Ａとヨークセグメント９０Ｂとの接合部）を各磁石３３の周方向の中央部付近に位置させることが好ましい。
【００４０】
以上のように、本実施形態においても、ヨーク９０が、周方向に分割された複数のヨークセグメント９０Ａ，９０Ｂから成り、これらのヨークセグメント９０Ａ，９０Ｂを組み合わせて筒状に形成されるため、第１の実施形態と同様の作用効果を得ることができるとともに、凹所３２およびヨーク９０に平坦部３２ｂ，９１が形成されているため、その平坦部３２ｂ，９１と対向する領域は、円形となっている構成と比較して全体として短縮化が図れ、より効果的にコンパクト化を図ることが可能になる。
【００４１】
また、凹所３２に平坦部３２ｂを形成したことで、スプール７の前方の側板４ａ，４ｂ間にスペース（上下方向のスペース）を効果的に形成することができ、このスペースを利用して、関連構成部材を最適な状態で配設することが可能となる。すなわち、例えば、図４に示されるように、レベルワインド機構６０の構成部品の少なくとも一部、具体的には釣糸案内体６５を、釣糸の摺動抵抗が最も少なくなる位置（凹所３２の上側の平坦部３２ｂと対向する位置）に設置する等、設計の自由度の向上が図れるようになる。
【００４２】
図５は本発明の第３の実施形態を示している。前述した実施形態では、駆動モータ３０がリール本体５のスプール７の前方側に配設された構成となっていたが、本実施形態では、駆動モータ３０がスプール７の内部に設置された構成（いわゆる、スプールインタイプ）となっている。
【００４３】
具体的には、リール本体５を構成しているフレーム３のうち、左フレーム３ａ部分に、右側板４ｂ側に向けて突出する円筒状の突出部３ｅを一体形成し、この突出部３ｅに凹所３２を形成している。この突出部３ｅは、釣糸が巻回されるスプール７に形成された内部空間に配置できる大きさに設定されており、その凹所３２内に第１の実施形態と同様の駆動モータ３０が嵌合配置されている。
【００４４】
凹所３２が形成された突出部３ｅは、左側板側がそのまま開口すると共に、右側板側には底壁３ｆが形成されており、底壁３ｆの中心部分に軸受３４を介して駆動モータ３０の駆動軸３１を回転可能に支持している。
【００４５】
この駆動軸３１には、ヨーク９０の内面に配設された磁石３３に対向して駆動モータ３０の構成部材である電機子３５（磁石３３に対向するコイル）が取り外し可能に装着されており、また、電機子３５の軸方向外側には、電機子３５に電流を供給する整流子３７が装着されている。突出部３ｅが形成された左フレーム３ａには、整流子３７に接触して電流を流すブラシ４１と、このブラシを保持するブラシホルダ４２が組み込まれてネジで取付け固定されている。そして、このブラシホルダ４２には、端子４３が一体的に組み込まれており、リード線４４を介して外部電源に接続されるようになっている。
【００４６】
また、突出部３ｅの開口部分には、左フレーム３ａに螺着される固定ネジ３９によって突出部３ｅに着脱可能となるように端部カバー４０が装着される。この端部カバー４０は、予め一つのユニットとして構成されており、軸方向内側から順に、前記駆動軸３１を回転可能に支持する一方向クラッチ４６と、駆動軸３１を回転可能に支持する軸受４７とが組み込まれている。
【００４７】
また、突出部３ｅの右側板側には、スプール７と駆動軸３１との間に、減速機構１５（遊星歯車機構）を具備した公知の駆動力伝達機構６０が配設されており、スプール７に対して手動ハンドル６および駆動モータ３０からの回転駆動力を入力できるようになっている。
【００４８】
なお、それ以外の構成要素およびその機能等は第１の実施形態と同様であり、第１の実施形態と同様の参照符号を付してその説明を省略する。
【００４９】
以上のように、本実施形態においても、ヨーク９０が、周方向に分割された複数のヨークセグメント９０Ａ，９０Ｂから成り、これらのヨークセグメント９０Ａ，９０Ｂを組み合わせて筒状に形成されるため、第１の実施形態と同様の作用効果を得ることができる
【００５０】
以上、本発明の実施形態について説明してきたが、本発明は、前述した実施形態に限定されず、その要旨を逸脱しない範囲で種々変形して実施できる。例えば、本発明の駆動モータは、ヨークが分割された構成になっていればよく、モータを構成する構成部品の構造や配置等については適宜変形することが可能である。また、前述した実施形態の駆動モータは、リールの駆動部品としてスプールを駆動させているが、駆動モータにより駆動される駆動部品はスプールに限らない。例えば、駆動モータによって魚釣用リールのクラッチ機構が駆動されてもよい。また、本発明のモータは、魚釣用リールだけでなく、モータ駆動される駆動部品を有する任意の他の製品にも適用できる。
【符号の説明】
【００５１】
１Ａ，１Ｂ  魚釣用リール
５  リール本体
７  スプール（駆動部品）
３０，３０Ａ  駆動モータ（モータ）
３２  凹所
３３  磁石
３５  電機子
９０  ヨーク
９０Ａ，９０Ｂ  ヨークセグメント
９１  平坦部
【図１】
2014083043.tif 000003
【図２】
2014083043.tif 000004
【図３】
2014083043.tif 000005
【図４】
2014083043.tif 000006
【図５】
2014083043.tif 000007